(57)【要約】【課題】リングを閉じると共に確実にロックできるリングバインダー機構を提供する。【解決手段】ルーズリーフ頁を保持するためのリングバインダー機構（101）は、ハウジング（111）と、該ハウジング（111）に回動自在に支持されたヒンジプレート（127a、127b）と、該ヒンジプレート（127a、127b）に設けられると共に閉位置と開位置との間で移動可能な複数のリング部材（123a,123b）を備えている。ハウジング(111)には、相対的に移動可能でヒンジプレート（127a、127b）を動かすアクチュエータが取り付けられている。閉じ状態のリング部材（123a,123b）をロック位置に開放可能にロックし、また、アンロック位置の開位置へ移動するために開放するロッキング要素(149)を備えている。さらに、前記ロッキング要素(149)を前記アクチュエータに操作可能に連結すると共に、前記アクチュエータの作動中は変形可能な中間コネクター(167)を備えている。【選択図】図５
2008080794.tif 000002
【特許請求の範囲】
【請求項１】
ハウジングと、
該ハウジングに対して相対移動可能に前記ハウジングに支持されたヒンジプレートと、
複数のルーズリーフ頁を保持する複数のリングであって、それぞれ第１のリング部材と第２のリング部材とを含み、第１のリング部材は第１のヒンジプレートに取り付けられると共に、第２のリング部材に対して閉位置と開位置との間で第１のヒンジプレートの回動と共に移動するようになっており、閉位置においては、二つのリング部材は実質的に連続的に閉じた環状となり、これにより、ルーズリーフ頁は、一方のリング部材から他方のリング部材への移動ができるように両リングによって保持され、開位置においては、両リング部材は、非連続で、開いた環状となり、これにより、ルーズリーフ頁をリングに追加したり、リングから抜き取ったり、できるようになっている複数のリングと、
前記ヒンジプレートを回動させるために、前記ハウジングに対して相対移動可能に前記ハウジングに取り付けられたアクチュエータと、
閉じ状態のリング部材をロック位置に開放可能にロックすると共に、閉じ状態のリング部材をアンロック位置の開位置へ移動するために開放するロッキング要素と、
前記ロッキング要素を前記アクチュエータに操作可能に連結すると共に、前記アクチュエータの作動中は変形可能な中間コネクターと、
を備えているルーズリーフ頁保持用のリングバインダー機構。
【請求項２】
前記中間コネクターは、ハウジングの長手方向の延長線を略横断する方向に変形する請求項１記載のリングバインダー機構。
【請求項３】
前記中間コネクターは、前記ロッキング要素に一体物として形成されている。請求項１記載のリングバインダー機構。
【請求項４】
さらに、ロッキング要素を支持する移動バーを備え、該移動バーと前記中間コネクターとは一体物として形成されている請求項１記載のリングバインダー機構。
【請求項５】
前記中間コネクターは、ヒンジとコネクター部とを備えている請求項１記載のリングバインダー機構。
【請求項６】
前記ヒンジは、緩和時には略平面状のＵ字形となっており、中間コネクターが前記ロッキング要素に対して相対的に移動できるように、よりきついＵ字形に変形可能となっている請求項５記載のリングバインダー機構。
【請求項７】
前記ヒンジは、前記コネクター部とは別部材で形成されたヒンジ部材を有している請求項５記載のリングバインダー機構。
【請求項８】
前記ヒンジ部材は、前記ロッキング要素とは別部材で形成されている請求項７記載のリングバインダー機構。
【請求項９】
前記ヒンジ部材は、一対の略フック形端部を一体に備え、前記コネクター部及びロッキング要素は、前記各フック形端部に係合する開口を含んでいる請求項８記載のリングバインダー機構。
【請求項１０】
前記ロッキング要素と中間コネクターとは、プラスチックでできている請求項１記載のリングバインダー機構。
【請求項１１】
前記中間コネクターは、両端部と該両端部の中間に位置する円弧形部とを備えている請求項１記載のリングバインダー機構。
【請求項１２】
ハウジングと、
該ハウジングに対して相対運動可能に前記ハウジングに支持されたヒンジプレートと、
複数のルーズリーフ頁を保持する複数のリングであって、それぞれ第１のリング部材と第２のリング部材とを含み、第１のリング部材は第１のヒンジプレートに取り付けられると共に、第２のリング部材に対して閉位置と開位置との間で第１のヒンジプレートの回動と共に移動するようになっており、閉位置においては、二つのリング部材は実質的に連続的に閉じた環状となり、これにより、ルーズリーフ頁は、一方のリング部材から他方のリング部材への移動ができるように両リングによって保持され、開位置においては、両リング部材は、非連続で、開いた環状となり、これにより、ルーズリーフ頁をリングに追加したり、リングから抜き取ったり、できるようになっている複数のリングと、
前記ヒンジプレートを回動させるために、前記ハウジングに対して相対移動可能に前記ハウジングに取り付けられたアクチュエータと、
ハウジングに対して相対的に移動可能となるように前記アクチュエータに連結された移動バーであって、閉じられたリング部材をロック位置に開放可能にロックすると共に、閉じられたリング部材をアンロック位置の開位置に移動可能に開放する移動バーと、
前記移動バーを前記アクチュエータに操作可能に連結する中間コネクターであって、前記アクチュエータの作動中は中間コネクターを変形可能とするヒンジを含む、中間コネクターと、
を備えているルーズリーフ頁保持用のリングバインダー機構。
【請求項１３】
前記中間コネクターと移動バーとは、一体物として形成されている請求項１２記載のリングバインダー機構。
【請求項１４】
前記中間コネクターのヒンジは、緩和時には略平面状のＵ字形状となっており、中間コネクターが前記ロッキング要素に対して相対的に移動できるように、よりきついＵ字形に変形可能となっている請求項１３記載のリングバインダー機構。
【請求項１５】
前記中間コネクターは、両端部と該両端部の中間に位置する円弧形部とを有するワイヤコネクターである請求項１２記載のリングバインダー機構。
【請求項１６】
前記中間コネクターは、緩和時における第１の長さと、前記アクチュエータが回動中において前記第１の長さとは異なる第２の長さとを備えている請求項１２記載のリングバインダー機構。
【請求項１７】
前記アクチュエータはハウジング側へ回動可能であり、前記中間コネクターは、アクチュエータがハウジング側に回動中、長さ方向に収縮できるようになっている請求項１２記載のリングバインダー機構。
【請求項１８】
ハウジングと、
該ハウジングに対して相対運動可能に前記ハウジングに支持されたヒンジプレートと、
複数のルーズリーフ頁を保持する複数のリングであって、それぞれ第１のリング部材と第２のリング部材とを含み、第１のリング部材は第１のヒンジプレートに取り付けられると共に、第２のリング部材に対して閉位置と開位置との間で第１のヒンジプレートの回動と共に移動するようになっており、閉位置においては、二つのリング部材は実質的に連続的に閉じた環状となり、これにより、ルーズリーフ頁は、一方のリング部材から他方のリング部材への移動ができるように両リングによって保持され、開位置においては、両リング部材は、非連続で、開いた環状となり、これにより、ルーズリーフ頁をリングに追加したり、リングから抜き取ったり、できるようになっている複数のリングと、
前記ヒンジプレートを回動させるために、前記ハウジングに対して相対移動可能に前記ハウジングに取り付けられたアクチュエータと、
ハウジングに対して相対的に移動可能となるように前記アクチュエータに連結された移動バーであって、閉じられたリング部材をロック位置に開放可能にロックすると共に、閉じられたリング部材をアンロック位置の開位置に移動可能に開放する移動バーと、
前記移動バーを前記アクチュエータに操作可能に連結する中間コネクターと、
前記アクチュエータの作動中、前記中間コネクターを回動させうるリビングヒンジと、  を備えているルーズリーフ頁保持用のリングバインダー機構。
【請求項１９】
前記リビングヒンジは、中間コネクターと移動バーとを連結している請求項１８記載のリングバインダー機構。
【請求項２０】
前記中間コネクターと、移動バーと、リビングヒンジとは、一体物として形成されている請求項１９記載のリングバインダー機構。
【発明の詳細な説明】
【技術分野】
【０００１】
［関連出願の相互参照］
本件出願は、２００６年９月２７日に提出された米国特許仮出願Ｎｏ．６０／８２７，２０５の利益を要求しており、該米国特許出願で言及されている内容はここに組み入れられる。
【０００２】
本発明は、ルーズリーフ頁保持のためのリングバインダー機構に関し、特に、複数のリング部材を開閉すると共に、閉じられた複数のリング部材を一緒にロックするために改良されたリングバインダー機構に関する。
【背景技術】
【０００３】
リングバインダー機構は、穴付き頁のような複数のルーズリーフ頁を、ファイル又はノートに保持するためのものである。それは、複数の頁を保持するための複数のリング部材を有している。これらのリング部材は、頁を追加し、若しくは抜き取るために、必要に応じて開かれたり、又は頁を保持してそれらがリング部材に沿って移動できるように閉じられたりする。リング部材は、回動軸回り回動可能に支持された２個の隣り合うヒンジプレート上に装着されている。細長いハウジングにより、前記ヒンジプレートをハウジング内に余裕を持って支持すると共に、ヒンジプレートがハウジングに対して回動可能となるようにヒンジプレートを保持している。
【０００４】
両ヒンジプレートが同一平面位置（１８０°）にある時には、変形していないハウジングは、結合されたヒンジプレートよりも僅かに狭くなっている。そのためヒンジプレートが回動して上記位置を通ると、それらは弾性的なハウジングを変形させ、かつ、ハウジング内にばね力を生じさせる。このばね力は、両ヒンジプレートを、前記同一平面位置から離れるように回動させ、両リング部材を開側または閉側のいずれかに付勢する。このようにして、リング部材が閉じられた時には、前記ばね力はヒンジプレートの動きに抵抗し、かつ、リング部材を一緒にクランプする。同様に、リング部材が開かれた時には、前記ばね力により、リング部材は離れた状態に保たれる。オペレーターは一般的に手動でリング部材を離すように引っ張り、または、それらをくっつけるように押すことにより、上記のばね力に打ち勝つことができる。開位置と閉位置との間で両リング部材を動かすために、ハウジングの一端部又は両端部にレバーを設けることができる。しかし、これらの知られたリングバインダー機構の欠点は、リング部材が閉じられた時に、それらリング部材が、確実に同時にロックされないことである。したがって、たとえば、前記機構を誤って落とした場合には、リング部材が自然に開いてしまうかも知れない。
【０００５】
リングバインダー機構の変形例として、リング部材が閉じられている時にヒンジプレートが回動しないようにロックするためのロック構造を含んだリングバインダー機構がある。このロック構造は、閉じられた複数のリング部材を一緒に積極的にロックし、仮に、リング機構を誤って落とした場合であっても、自然に開かないようになっている。したがって、このリングバインダー機構は、従来のリング機構よりも少ない操作力で開閉することができる。
【０００６】
これらのリングバインダー機構の中には、レバーに連結された制御スライド上にロック機構を組み込んだものがある。上記レバーで制御スライド（及びそのロック構造）を動かすことにより、ヒンジプレートの回動を阻止したり、あるいは回動を許したりすることができる。しかし、これらの機構の課題の一つとして、オペレーターは、リング部材を閉じた後、ヒンジプレートをブロックしてリング部材を閉状態にロックするように、レバーを積極的に動かしてロック機構を所定位置に位置せしめる必要がある。この動作をし忘れると、特に誤って機構を落とした場合に、ヒンジプレートは、リング部材が回動して自然に開くのを阻止することができない。
【０００７】
ロッキングリングバインダー機構の中には、リング部材が閉じられている時にヒンジプレートをロックする位置にロック機構を動かすために、スプリングを使用しているものもある。これらの機構は、たとえば、同時譲渡された米国特許出願Ｎｏs．１０／８７０，８０１（Cheng et al.)、１０／９０５，６０８（Cheng)及び１１／０２７，５５０（Cheng)に示されている。これらの機構は、機構のロック動作を補助するために複数のスプリングを使用している。
【０００８】
そのロック機構の動作は、一般に直線的又は並進的であるが、しかし、その動作は、レバーの回動によって生じる。したがって、レバーの動きの並進的な構成部分のみをロック機構に伝達する必要性がある。これに対しては、既に解決策が提案されている。たとえば、同時に所有する米国特許出願Ｎｏ．１０／８７０，８０１．に記載されている。しかし、製作費が安く、全体構造が簡単で、しかも繰り返しの操作において信頼できる構造を備えた動力伝達装置を完成する必要がある。
【発明の開示】
【課題を解決するための手段】
【０００９】
（発明の要約）
本発明にかかるルーズリーフ頁を保持するためのリングバインダー機構は、ハウジングと、該ハウジングに対して相対的に回動するようにハウジングに支持されたヒンジプレートと、ルーズリーフ頁を保持するための複数のリングと、を備えている。各リングは、第１のリング部材と、第２のリング部材と、を含んでいる。第１のリング部材は第１のヒンジプレートに取り付けられると共に、第２のリング部材に対して閉位置と開位置との間で第１のヒンジプレートの回動と共に移動するようになっている。閉位置においては、二つのリング部材は実質的に連続的に閉じた環状となり、これにより、ルーズリーフ頁は、一方のリング部材から他方のリング部材への移動ができるように両リングによって保持されるようになっている。開位置においては、両リング部材は、非連続で、開いた環状となり、これにより、ルーズリーフ頁をリングに追加したり、リングから抜き取ったり、できるようになっている。前記ヒンジプレートを回動させるために、前記ハウジングに対して相対移動可能に前記ハウジングにアクチュエータが取り付けられている。閉じ状態のリング部材をロック位置に開放可能にロックすると共に、閉じ状態のリング部材をアンロック位置の開位置へ移動するために開放するロッキング要素を備えている。前記ロッキング要素を前記アクチュエータに操作可能に連結する中間コネクターを備えている。この中間コネクターは前記アクチュエータの作動中は変形可能となっている。
【００１０】
本発明の別の特徴として、ルーズリーフ頁を保持するためのリングバインダー機構は、ハウジングと、該ハウジングに対して相対的に回動するようにハウジングに支持されたヒンジプレートと、ルーズリーフ頁を保持するための複数のリングと、を備えている。各リ第１のリング部材は第１のヒンジプレートに取り付けられると共に、第２のリング部材に対して閉位置と開位置との間で第１のヒンジプレートの回動と共に移動するようになっている。閉位置においては、二つのリング部材は実質的に連続的に閉じた環状となり、これにより、ルーズリーフ頁は、一方のリング部材から他方のリング部材への移動ができるように両リングによって保持されるようになっている。開位置においては、両リング部材は、非連続で、開いた環状となり、これにより、ルーズリーフ頁をリングに追加したり、リングから抜き取ったり、できるようになっている。前記ヒンジプレートを回動させるために、前記ハウジングに対して相対移動可能に前記ハウジングにアクチュエータが取り付けられている。ハウジングに対して相対的に移動可能となるように前記アクチュエータに移動バーが連結されている。この移動バーは、閉じられたリング部材をロック位置に開放可能にロックすると共に、閉じられたリング部材をアンロック位置の開位置に移動可能に開放する少なくとも一つのロッキング要素を有している。前記移動バーをアクチュエータに連結するための中間コネクターを備えている。この中間コネクターは、前記アクチュエータの作動中、前記中間コネクターを変形可能なヒンジを含んでいる。
【００１１】
本発明の他の形態は、以下の説明において、一部はっきりと指摘されるであろう。
【発明を実施するための最良の形態】
【００１２】
図面を参照して、図１乃至図１６は、本発明にかかるリングバインダー機構１０１を示している。図１において、リングバインダー機構１０１は、符号１０３で示すノートに設けられている。具体的には、リングバインダー機構１０１は、本１０３の前カバー１０７と後カバー１０９との間の背板１０５に設けられており、前記前カバー１０７及び後カバー１０９は前記背板１０５に回動可能に取り付けられている。前カバー１０７及び後カバー１０９は、ノート１０３内にリングバインダー機構１１０によって保持される複数のルーズリーフ頁（逗子せず）を、選択的に覆い、又は露出させるように移動させることができる。他の方法でノートに設けられるリングバインダー機構、又はファイルのように、ノート以外の物の表面に取り付けられるリングバインダー機構も、本発明の範囲から外れることはない。
【００１３】
図１について説明すると、ハウジング１１１は、３個のリング１１３と、レバー１１５（広い意味での「アクチュエータ」）を支持している。リング１１３はノート１０３内のリングバインダー機構１０１上に複数のルーズリーフ頁を保持するものであり、一方、レバー１１５は、ルーズリーフ頁を追加し又は抜き取ることができるように、リング１１３を開閉操作するものである。また、図２について説明すると、ハウジング１１１は、一様な概略円弧形断面を有する細長い矩形状に形成されており、その中央部に概ね平面状の高台１１７を有している。ハウジング１１１の第１の長手方向端部（図２の右端部）は開放しており、一方、ハウジング１１１の反対側の第２の長手方向端部（図２の左端部）は閉じている。折り曲げられた下側のリム１２１（図４）は、ハウジング１１１の両側端に沿って形成され、ハウジング１１１の第１の長手方向端部から第２の長手方向端部まで長手方向に長く延びている。一様でない断面形状を含む他の形状のハウジング、又はファイルやノートに一体に形成されたハウジングを有するリングバインダー機構についても、本発明の範囲から外れることはない。
【００１４】
リングバインダー機構１０１の３個のリング１１３は実質的に同じものであり、それぞれ概ね円形に形成されている（図２参照）。図１及び図２に示すように、これらのリング１１３は、それぞれ２個の略半円形のリング部材１２３ａ、１２３ｂから構成されており、これらリング部材１２３ａ、１２３ｂは、在来の適切な材料（たとえば鋼鉄）の筒状ロッドから形成されている。リング部材１２３ａ、１２３ｂは、自由端部１２５ａ、１２５ｂをそれぞれ有しており、これら自由端部１２５ａ、１２５ｂは、リング部材１２３ａ、１２３ｂが同時に閉じられた時に、（両リング部材の長軸方向に対する）横方向のズレが生じていても両リングを連結できるように形成されている（図１）。リング部材１１３は、当技術分野で知られているようなＤ形状とすることもでき、本発明の範囲内において他の形状とすることもできる。別の材料で形成されたリング部材や、異なる断面形状、たとえば長円形の断面形状を有するリング部材を備えたリングバインダー機構についても、本発明の範囲から外れることはない。
【００１５】
また、図３に示されているように、リングバインダー機構１０１は、符号１２７ａ、１２７ｂで示された２個の実質的に同じヒンジプレートを備えており、各ヒンジプレート１２７ａ、１２７ｂはそれぞれリング部材１２３ａ、１２３ｂを支持している。各ヒンジプレート１２７ａ、１２７ｂは、概ね、平板状で、細長い矩形に形成されており、それぞれハウジング１１１よりも幾分か短く形成されている。各ヒンジプレート１２７ａ、１２７ｂには、各ヒンジプレート１２７ａ、１２７ｂの内側端縁部分に沿って、それぞれ４つの対応する切欠き(開口）１２９ａ、１２９ｂ、１２９ｃ及び１２９ｄが形成されている。各ヒンジプレート１２７ａ，１２７ｂの第１の端部（図３の右端部）には、該端部から長さ方向に離れる方向に突出する爪１３１が形成されている。これらの爪１３１は、ヒンジプレート１２７ａ、１２７ｂの幅よりも狭い幅に形成されると共に、爪１３１の内方側端縁がヒンジプレート１２７ａ、１２７ｂの内方側端縁に略一致するように形成されている。切欠き１２９ａ、１２９ｂ、１２９ｃ及び１２９ｄ並びに爪１３１を形成した目的は、後述する。レバー１１５とヒンジプレート１２７ａ，１２７ｂは、広い意味で、「アクチュエーションシステム」として説明することができる。
【００１６】
図２及び図３において、レバー１１５は、グリップ１３３と、該グリップ１３３に取り付けられた本体１３５と、該本体１３５に取り付けられた上部リップ１３６及び下部リップ１３７と、を含んでいる。グリップ１３３は、レバー１１５を掴んで動かし易いように、本体１３５，上部リップ１３６及び下部リップ１３７よりも幾分幅広く形成されている。図示されたリングバインダー機構１０１において、本体１３５は、グリップ１３３と一体的に運動ができるように、グリップ１３３と一体物として形成されている。本体１３５は、グリップ１３３と別体に形成してグリップ１３３に取り付ける構造とすることもでき、この構造も、本発明の範囲から外れることはない。
【００１７】
図３及び図６に示すように、レバー１１５の下部リップ１３７は、可撓性を有するブリッジ１３９（又は可動ヒンジ）により本体１３５に取り付けられており、前記ブリッジ１３９は本体１３５及び下部リップ１３７と一体物として形成されている。前記ブリッジ１３９が本体１３５や下部リップ１３７とは別体に形成されてそれらに取り付けられているレバーを有するリングバインダー機構も、本発明の範囲から外れることはない。前記ブリッジ１３９は概ね円弧形に形成されると共に、下部リップ１３７と本体１３５との間に開口溝１４１を形成している。下部リップ１３７は、上部リップ１３６と略平行に、本体１３５のブリッジ１３９及び溝１４１から離れるように延びており、本体１３５と下部リップ１３７との間にＣ形空間を形成している。レバー１１５は、たとえば型成形された弾性を有するポリマー材から形成することができる。ここで説明し、図示された形状と異なる形状のレバーを有するリングバインダー機構も、本発明の範囲から外れることはない。
【００１８】
図３，１３及び１４を参照して、リングバインダー機構１０１は、移動バー１４５と、該移動バー１４５と一体物として形成された中間コネクター１６７と、含んでいる。この移動バー１４５は、細長いロッキング部１４８と、該ロッキング部１４８の底面に沿って間隔をおいて配置された３個のロッキング要素１４９とを含んでいる。より具体的には、３個のロッキング要素１４９は、ロッキング部１４８の長さ方向の両端部に近接する位置と、ロッキング部１４８の長さ方向の中央部の位置とに、それぞれ配置されている。細長いロッキング部１４８及びロッキング要素１４９は、広い意味で、「ロッキングシステム」として説明することができる。
【００１９】
図示されたロッキング部１４８の３つのロッキング要素１４９は、略同一形状となっている。図１３及び１４に示すように、各ロッキング要素１４９は、狭くて平坦な底部１５３と、傾斜前端縁１５５ａと、凹み形状の横方向の両側面１５５ｂ（一方の側面のみが見えている）と、後端延長部１５６と、を含んでいる。図示の実施形態において、ロッキング要素１４９は、それぞれ概ねくさび形状を有している。ロッキング要素１４９の傾斜前端縁１５５ａは、ヒンジプレート１２７ａ、１２７ｂに係合して、ヒンジプレートを下方に回動する時に役立つ。図示の実施形態において、ロッキング要素１４９は、たとえば型成形により、移動バー１４５と同一材料で一体物として形成されている。しかし、ロッキング要素１４９を、移動バー１４５と別体に形成して、移動バー１４５に取り付ける構造も、本発明の範囲からは外れない。また、たとえばブロック形状（すなわち傾斜端縁又は後端延長部を有しない形状）のロッキング要素１４９も本発明の範囲に含まれる。
【００２０】
リングバインダー機構１０１の中間コネクター１６７は、移動バー１４５の一端部に位置するコネクター部１６８と、ロッキング部１４８とコネクター部１６８との間に位置する可撓性を有するヒンジ１７０と、を含んでいる。コネクター部１６８には細長い開口１６８ａが一体に形成されており、該開口１６８ａにより、該開口１６８ａを通過する取付ポスト１７９ａ、１７９ｂを収納すると共に、リングバインダー機構１０１の作動中、移動バー１４５が取付ポストに対して相対的に移動できるようにしている。レバー１１５の回動に伴って移動バー１４５が移動するように、コネクター部１６８は、取付ピン１７１によりレバー１１５の上部リップ１３６に連結されている。移動バー１４５の可撓性を有するヒンジ１７０は薄く形成されると共に、緩和時には概ね平坦な（平板状の）Ｕ字形になっている。可撓性を有するヒンジ１７０は、移動バー１４５のコネクター部１６８がロッキング要素１４９に向けて相対的に移動できるように、よりきついＵ字形に撓んだり屈曲したりすることができる。
【００２１】
図２及び図４−７は、閉じられてロックされた位置のリングバインダー機構１０１のリング部材１２３ａ、１２３ｂを図示している。ロッキング部１４８のロッキング要素１４９は、ヒンジ１７０と略同一面に揃っているヒンジプレート１２７ａ、１２７ｂの上方であって、各切欠き１２９ａ−ｄに隣接した位置に位置している。ロッキング要素１４９は、実質的には切欠き１２９ａ−ｄに係合する領域から離れている。平坦な底面１５３はヒンジプレート１２７ａ、１２７ｂの上面に載っており、後端延長部１５６はそれぞれ切欠き１２９ａ−ｄを通過して、ヒンジプレートの下方に折れ曲がった前側のタブ１８２に隣接している。ロッキング部１４８とロッキング要素１４９は、ヒンジプレート１２７ａ、１２７ｂを上方に回動してリング部材１２３ａ、１２３ｂを開けようとする如何なる力にも対抗している（すなわち、それらは、閉状態のリング部材をロックしている）。
【００２２】
リング部材１２３ａ、１２３ｂを開く場合は、レバー１１５を外側下方（図６に矢印Ａで示すような時計回り）に回動する。図８に示すように、下部リップ１３７はヒンジプレート１２７ａ、１２７ｂの下面に係合し、上部リップ１３６は移動バー１４５を引っ張り、それより、ロッキング要素１４９をアンロック位置に向けて移動させる。レバー１１５は、リング部材１２３ａ、１２３ｂを開けるためにヒンジプレート１２７ａ、１２７ｂが回動する前に、ロッキング要素１４９を引っ張るように形成されている。より具体的には、ロッキング要素１４９は、ヒンジプレートが回動する前に、ヒンジプレート１２７ａ、１２７ｂの各切欠き１２９ａ−ｄ上の位置にくるように、移動させられる。可撓性を有するヒンジ１７０は、上部リップ１３６から引っ張られた場合にわずかに伸びるが、大部分は、実質的に浅いＵ字形を維持している。レバー１１５の本体１３５とレバー１１５の下部リップ１３７との間の可撓性を有するブリッジ１３９は、湾曲して緊張している。本体１３５と下部リップ１３７との間の開口溝１４１は閉じられ、本体１３５は移動して下部リップ１３７に係合する。レバー１１５の開動作を続行することにより、本体１３５は下部リップ１３７を一緒に回動し、ヒンジプレート１２７ａ、１２７ｂを上方に押し、共通平面位置を通過させる。これにより、図９−１１のように、リング部材１２３ａ、１２３ｂが開く。
【００２３】
リング部材１２３ａ、１２３ｂを閉じてリングバインダー機構１０１をロック位置に戻す場合は、オペレーターは、レバー１１５を上側内方に回動する。これにより、図１２Ａに示すように、レバー１１５の上部リップ１３６が移動してヒンジプレート１２７ａ、１２７ｂの上面に係合する（もし、それがヒンジプレートの上面にまだ接触していない場合である）。上部リップ１３６はヒンジプレート１２７ａ、１２７ｂの上面に係合し、それらを下方に押し始めるが、ハウジング１１１のばね力が、初期のヒンジプレートの動きに抵抗する。移動バー１４５は、最初は、上部リップ１３６の回動と共に前方に移動し、ロッキング要素１４９の前端縁１５５ａをヒンジプレート１２７ａ、１２７ｂのタブ１８２に着座させる（もし、ロッキング要素が着座していない場合である）。レバー１１５の回動を続行するに伴い、着座したロッキング要素１４９は、移動バー１４５のさらなる動きに抵抗する。図１２Ａに示すように、移動バー１４５の可撓性を有するヒンジ１７０は、レバー１１５が継続して回動できるように、撓み始める（もしくは、よりきついＵ字形に下方へ屈曲させる）。このような中間コネクター１６７のコネクター部１６８とロッキング要素１４９との間の相対な動きは、可撓性を有するヒンジ１７０に緊張（応力）を生じさせる。閉動作中の上記瞬間において、もし、ヒンジプレート１２７ａ、１２７ｂがそれらの共通の平面位置を下方に通過する前に（すなわち、リング部材１２３ａ、１２３ｂが閉じる前に）レバー１１５が開放されたならば、ヒンジ１７０内に生じている上記緊張（応力）は、自動的に、レバー１１５をその開始位置にねじり（そして押し）戻すであろう。
【００２４】
図１２Ｂに示すように、レバー１１５の閉動作を続行することより、上部リップ１３６は、連結されたヒンジプレート１２７ａ、１２７ｂを下方へと回動させる。一旦、ヒンジプレート１２７ａ、１２７ｂが共通平面位置を通過すると、ハウジング１１１のばね力がヒンジプレート１２７ａ、１２７ｂを下方へ押し、リング部材１２３ａ、１２３ｂを閉じる。ヒンジプレート１２７ａ、１２７ｂが下方へ回動するに伴って、ロッキング要素１４９の傾斜前端縁１５５ａは、（図１２Ｂに見られるように）ロッキング要素１４９及び移動バー１４５の左方への移動を許容する。この初期動作中、可撓性を有するヒンジ１７０は変形した緊張状態を維持している。一旦、ヒンジプレート１２７ａ、１２７ｂがロッキング要素１４９の傾斜前端縁１５５ａを乗り越えると、それらはもはや、ロッキング要素１４９及び移動バー１４５の前進動作に抵抗することはなくなる。そして、ロッキング要素１４９はレバー１１５の回動に伴って、ヒンジプレート１２７ａ、１２７ｂの背後のロック位置へ移動する。これと同時に、ブリッジ１３９は平面状に戻り、可撓性を有するヒンジ１７０はその緊張（応力）により跳ね返り、ロッキング要素１４９をロック位置にさらに押し動かす。ブリッジ１３９と可撓性を有するヒンジ１７０はそれぞれ緩和位置に戻る。機構１０１は再び図６に示す位置になる。
【００２５】
このリングバインダー機構１０１において、中間コネクター１６７の可撓性を有するヒンジ１７０は、ロッキング要素１４９をヒンジプレート１２７ａ、１２７ｂの背後のロック位置へと押し動かす前に、リング部材１２３ａ、１２３ｂを閉じるためにヒンジプレート１２７ａ、１２７ｂを下方へ移動させるべくレバー１１５を回動させることができるようになっている。レバー１１５が回動してロッキング要素１４９の垂直方向の移動を遮った時に、可撓性を有するヒンジ１７０は、レバー１１５から（コネクター部１６８を経て）伝達される垂直方向のわずかな移動を受け入れることができるようになっており、これにより、動作中、ロッキング要素１４９が（垂直方向の）所定位置を維持できるようになっている。
【００２６】
図１乃至１６の実施形態では、中間コネクター１６７の可撓性を有するヒンジ１７０は、ロッキング部１４８とコネクター部１６８との間に配置されると共に、ロッキング部１４８及び移動バー１４５のコネクター部１６８と一体物として形成されている。しかし、図１７乃至１９に示すように、可撓性を有するヒンジ１７０’を、移動バー１４５のロッキング部１４８’及び中間コネクター１６７のコネクター部１６８’と別体物として形成し、それらに取り付ける構造とすることもできる。可撓性を有するヒンジ１７０’は一対のフック形端部１７０ａ’を一体に備えており、これらフック形端部１７０ａ’は、それぞれロッキング部１４８’の開口１５０’とコネクター部１６８’の開口１５２’に係合している。本発明の範囲内において、可撓性を有するヒンジ１７０’を、ロッキング部１４８’とコネクター部１６８’に上記図示の接続とは異なった構造で接続することもできる。図１７乃至１９の可撓性を有するヒンジ１７０’を備えている場合の作用及び操作は、図１乃至１６の可撓性を有するヒンジ１７０を備えている場合と同様である。
【００２７】
ここで図示している可撓性を有するヒンジと異なった形状の可撓性を有するヒンジも、本発明の範囲内に含まれ得る。たとえば、可撓性を有するヒンジは、ロッキング部に対してコネクター部が長手方向に移動できるように、蛇腹形状に弾性的に折り畳めるようにすることもできる。
【００２８】
移動バー及び中間コネクターの各構成部品はプラスチック材料から形成されているが、金属のような他の適切な材料から形成することもできる。さらに、移動バーの種々の部分を種々の材料から形成することはできるが、可撓性を有するヒンジは、ばね鋼、プラスチック又は他の可撓性を有する材料から形成する。
【００２９】
図２０乃至３２は、本発明の別の実施形態によるリングバインダー機構を示している。該リングバインダー機構２０１は、前述の図１乃至１９により説明した機構１０１と比較して、前述の実施形態のようなＵ形のヒンジ１７０を含んでいないこと以外は、同様な構造となっている。本実施形態の機構２０１において、図１乃至１６の機構１０１の各部品に対応する部品には、同じ符号（番号）に「１００」を加えた符号（番号）を付してある。本実施形態において、中間コネクター２６７は、移動バー２４５と一体物として形成されているが、リビングヒンジ２７２によって連結されている。該リビングヒンジ２７２は、移動バー２４５に対して中間コネクター２６７を相対的に回動させることはできるが、図１乃至１９のＵ形の可撓性を有するヒンジ１７０，１７０’のように長手方向に変形することはない。このように、該実施形態のリングバインダー機構２０１において、リビングヒンジ２７２は、レバー２１５の回動動作を移動バー２４５の並進運動に変換するが、移動バー２４５及びロッキング要素２４９がロック位置へ移動する前には、ヒンジプレート２２７ａ、２２７ｂを閉じるためにレバー２１５は回動しないようになっている。リング部材２２３ａ、２２３ｂを閉じるために、それらは手動で一緒に押し動かすことができる。
【００３０】
図２２，３１及び３２に示すように、該実施形態において図示された移動バー２４５は、３つのロッキング要素２４９を有する細長いロッキング部２４８を含んでいる。中間コネクター２６７は、ロッキング部に回動可能に接続されている。ロッキング部２４８のロッキング要素２４９は、前述の実施形態の機構１０１のロッキング要素２４９と同じような形状に形成されている。中間コネクター２６７には、取付ポスト２７９ａ、２７９ｂが挿通され、係合される細長い開口２６８ａが一体に形成されている。該開口２６８ａは、細長く形成されることにより、機構２０１の操作中、取付ポスト２７９ａ、２７９ｂに対して移動バー２４５が相対的に移動できるようになっている。図２３及び２５に示すように、中間コネクター２６７は平らなレバー２１５（たとえば、前述の機構（図１乃至１９）のレバー１１５と比較して平らなグリップを有するレバー）の上部リップ２３６に連結されている。中間コネクター２６７のクロスバー２７１はレバー２１５の上部リップ２３６のフック２３６ａによって捕捉されている。
【００３１】
本実施形態の機構２０１における開操作は前記図１乃至１９で説明した実施形態の機構１０１の場合と同じである。図２０乃至２５は、閉じられ、かつ、ロックされた位置のリグ２２３ａ、２２３ｂを示している。リング部材２２３ａ、２２３ｂを開ける場合には、レバー２１５を外側下方に回動する（図２４に矢印で示すように反時計回りに回動する）。図２７に示すように、レバー２１５の下部リップ２３７はヒンジプレート２２７ａ、２２７ｂの下面に当接して押し上げ、一方、レバー２１５の上部リップ２３６は、移動バー２４５及びロッキング要素２４９を、ヒンジプレートの開口２２９ａ、２２９ｂ、２２９ｃに嵌合するアンロック位置へと引っ張る。移動バー２４５のロッキング部２４８と中間コネクター２６７との間並びに中間コネクター２６７とレバー２１５との間を、ヒンジ機構で回動可能に連結しているので、レバー２１５が回動した時に生じるレバーの垂直方向の小さな動きを許容するために、中間コネクターは、ロッキング部に対して相対的に僅かに上方に移動することができる。レバー２１５の本体２３５とレバーの下部リップ２３７との間に配置された可撓性を有するブリッジ２３９は、湾曲して緊張する。本体２３５と下部リップ２３７との間の開口溝２４１は閉じて、本体２３５は下部リップ２３７に係合する。レバー２１５の回動を続行することにより、本体２３５は下部リップ２３７を一体的に回動させ、ヒンジプレート２２７ａ，２２７ｂを上方へ回動し、共通平面位置を越えさせる。これにより、図２８乃至３０に示すように、リング部材２２３ａ、２２３ｂは開位置に移動する。リング部材２２３ａ、２２３ｂを閉じて機構２０１をロック位置に戻す場合には、オペレーターはリング部材２２３ａ、２２３ｂを一緒に押し動かす。
【００３２】
このリングバインダー機構２０１において、中間コネクター２６７と移動バー２４５との間のヒンジによる回動自在な連結構造は、レバーの回動操作中、レバーの２１５の僅かな垂直方向の移動からロッキング要素２４９を遮蔽している。ヒンジ２７２は、中間コネクター２６７とロッキング部２４８との間を回動自在に連結しており、これにより、中間コネクターを、ロッキング部及びロッキング要素２４９に対して相対的に上方及び下方に回動としている。
【００３３】
図３３乃至５３は、本発明のさらに別の実施形態によるリングバインダー機構３０１を示している。該リングバインダー機構３０１は、前述の図１乃至１９により説明した機構１０１と比較して、中間コネクター３６６が図１乃至１９の中間コネクター１６７と異なっていることを除いては、同様な構造となっている。本実施形態の機構３０１において、図１乃至１６の機構１０１の各部品に対応する部品には、同じ符号（番号）に「２００」を加えた符号（番号）を付してある。本実施形態において、中間コネクター３６７は、第１の端部３６６ａと、第２の端部３６６ｂと、これら両端部の中間に形成された円弧形部３６６ｃ（図５０乃至５３）を有する折り曲げワイヤである。第２の端部３６６ｂはワイヤの始端点と終端点とに間に小さな隙間３６６ｅを含んでいる。
【００３４】
図３５，３７及び３８に示すように、本実施形態の図示された移動バー３４５は、３つのロッキング要素３４９を有する細長いロッキング部３４８を含んでいる。中間コネクター３６６は、ロッキング部３４８に連結されている。より具体的には、ロッキング部３４８はスロット３６０と該スロットに隣接したタブ３６２とを含んでいる。中間コネクター３６６の第２の端部３６６ｂはスロット３６０に係合し、中間コネクターの第２の端部に隣接する部分は、タブ３６２の下方に延びている。スロット３６０及びタブ３６２以外は、ロッキング部３４８のロッキング要素３４９は、前述の実施形態の機構１０１のロッキング要素１４９と同様の形状となっている。図３６乃至３８に示すように、中間コネクター３６６は平らなレバー３１５の上部リップ３４６に連動連結されている。中間コネクター３６６の第１の端部３６６ａはレバー３１５の上部リップ３３６の窓孔３３６ａ内に嵌合し、これにより、レバー３１５の回動によって移動バー３４５が移動するようになっている。
【００３５】
本実施形態の機構３０１における開操作は前記図１乃至３２で説明した各実施形態の機構１０１、２０１の場合と同じである。図３４及び３６−３８は、閉じられ、かつ、ロックされた位置のリングバインダー機構３０１を示している。リング部材３２３ａ、３２３ｂを開ける場合には、レバー３１５を外側下方に回動する（図３９−４１）。図３９に示すように、レバー３１５の下部リップ３３７はヒンジプレート３２７ａ、３２７ｂの下面に当接してこれらを押し上げ、一方、レバー３１５の上部リップ３３６は、移動バー３４５及びロッキング要素３４９を、ヒンジプレートの開口３２９ａ、３２９ｂ、３２９ｃに嵌合するアンロック位置へと引っ張る。移動バー３４５のロッキング部３４８と中間コネクター３６６との連結により、レバー３１５が回動した時に生じるレバーの垂直方向の小さな動きを許容するために、中間コネクターは、ロッキング部に対して相対的に僅かに上方に移動することができる。レバー３１５の本体３３５とレバーの下部リップ３３７との間に配置された可撓性を有するブリッジ３３９は、湾曲して緊張する。本体３３５と下部リップ３３７との間の開口溝３４１は閉じて、本体３３５は下部リップ３３７に係合する（図４０）。レバー３１５の回動を続行することにより、本体３３５は下部リップ３３７を一体的に回動させ、ヒンジプレート３２７ａ，３２７ｂを上方へ回動し、共通平面位置を越えさせる。これにより、図４２乃至４５に示すように、リング部材３２３ａ、３２３ｂは開位置に移動する。円弧形部３６６ｃは、移動中は、実質的に変形しない。
【００３６】
リング部材３２３ａ、３２３ｂを閉じてリングバインダー機構３０１をロック位置に戻す場合には、オペレーターは、レバー３１５を上側内方に回動する。これにより、図４６及び４７に示すように、レバー３１５の上部リップ３３６が移動してヒンジプレート３２７ａ、３２７ｂの上面に係合する（もし、それがヒンジプレートの上面にまだ接触していない場合である）。上部リップ３３６はヒンジプレート３２７ａ、３２７ｂの上面に係合し、それらを下方に押し始めるが、機構３０１のハウジング３１１のばね力が、初期のヒンジプレートの動きに抵抗する。移動バー３４５は、最初は、上部リップ３３６の回動と共に前方に移動し、ロッキング要素３４９の前端縁３５５ａをヒンジプレート３２７ａ、３２７ｂのタブ３８２に着座させる（もし、ロッキング要素が着座していない場合である）。レバー３１５の回動を続行するに伴い、着座したロッキング要素３４９は、移動バー３４５のさらなる動きに抵抗する。
【００３７】
図４７に示すように、中間コネクター３６６の円弧形部３６６ｃは、レバー３１５が継続して回動できるように、圧縮する（もしくは、よりきつい円弧形になるように外方に撓む）。このようなレバー３１５とロッキング要素３４９との間の相対な動きは、中間コネクター３６６に緊張（応力）を生じさせる。閉動作中の上記瞬間において、もし、ヒンジプレート３２７ａ、３２７ｂがそれらの共通の平面位置を下方に通過する前に（すなわち、リング部材３２３ａ、３２３ｂが閉じる前に）レバー３１５が開放されたならば、中間コネクター３６６内に生じている上記緊張（応力）は、自動的に、レバー３１５をその開始位置にねじり（そして押し）戻すであろう。この実施形態のリングバインダー機構３０１において、中間コネクター３６６の圧縮率（特性）は、ロッキング要素３４９をヒンジプレート３２７ａ、３２７ｂの背後のロック位置へと押し動かす前に、リング部材３２３ａ、３２３ｂを閉じるためにヒンジプレート３２７ａ、３２７ｂを下方へ移動させるべくレバー３１５を回動させることができるようになっている。
【００３８】
図４８及び４９に示すように、レバー３１５の閉動作を続行することより、上部リップ３３６は、連結されたヒンジプレート３２７ａ、３２７ｂを下方へと回動させる。一旦、ヒンジプレート３２７ａ、３２７ｂが共通平面位置を通過すると、ハウジング３１１のばね力がヒンジプレート３２７ａ、３２７ｂを下方へ押し、リング部材３２３ａ、３２３ｂを閉じる。ヒンジプレート３２７ａ、３２７ｂが下方へ回動するに伴って、ロッキング要素３４９の傾斜前端縁３５５ａは、（図４８及び４９に見られるように）ロッキング要素３４９及び移動バー３４５の左方への移動を許容する。一旦、ヒンジプレート３２７ａ、３２７ｂがロッキング要素３４９の傾斜前端縁３５５ａを乗り越えると、それらはもはや、ロッキング要素３４９及び移動バー３４５の前進動作に抵抗することはなくなる。そして、ロッキング要素３４９はレバー３１５の回動に伴って、ヒンジプレート３２７ａ、３２７ｂの背後のロック位置へ移動する。これと同時に、中間コネクター３６６の緊張（応力）が開放され、ロッキング要素３４９をロック位置にさらに押し動かす。ブリッジ３３９と中間コネクター３６６はそれぞれ緩和位置に戻る。機構３０１は再び図４３に示す位置になる。
【００３９】
本発明のリングバインダー機構の要素を紹介する時、用語“一つの”、“その”、および“上記の”は、１または２以上の要素があることを意味していることが意図されている。用語“備えている”、“含んでいる”および“有している”は包括的でありかつ、記載された要素の他にも他の追加の要素もあり得ることを意味している。更に、“前方”および“後方”の使用およびこれらの用語の変形は、便宜的に使用したものであり、要素の特定な方向を示すものではない。
【００４０】
本発明においては、上述の内容において各種の変更が本発明の範囲から外れることなくなされ得るので、上述の内容に含まれる事項および添付図面内に示されていることの全ては例示的でありかつ限定的なものではない。
【図面の簡単な説明】
【００４１】
【図１】本発明の第１の実施形態のリングバインダー機を組み込んだノートの斜視図である。
【図２】第１の緩和位置のレバーを備えると共に、閉じられかつロックされた位置のリングバインダー機構の上面側の斜視図である。
【図３】図１のリングバインダー機構の組立分解斜視図である。
【図４】図１のリングバインダー機構の底面側の斜視図である。
【図５】内部構造を露呈するためにハウジングの一部を切断して示す図２のリングバインダー機構の部分斜視図である。
【図６】ハウジングとヒンジプレートとを取り除いた状態で示す図２のリングバインダー機構の拡大部分側面図である。
【図７】閉じられかつアンロック位置にあると共に、第１の変形位置のレバーを備えた、図４と同様のリングバインダー機構の底側の斜視図である。
【図８】閉じられかつアンロック位置にあると共に、第１の変形位置のレバーを備えた、図６と同様のリングバインダー機構の拡大部分側面図である。
【図９】開位置にあるリングバインダー機構の上面側の斜視図である。
【図１０】開位置にあるリングバインダー機構の底面側の斜視図である。
【図１１】開位置にあり、レバーが第２の変形位置にあるリングバインダー機構の図６と同様の拡大部分側面図である。
【図１２Ａ】閉じられかつロック位置に向けてのレバーの回動と、これと並行した中間コネクターとヒンジプレートとの動作を示す図１１と同様の拡大部分側面図である。
【図１２Ｂ】閉じられかつロック位置に向けてのレバーの回動と、これと並行した中間コネクターとヒンジプレートの動作を示す図１１と同様の拡大部分側面図である。
【図１３】移動バーの上面側の斜視図である。
【図１４】図１３の移動バーの部分側面図である。
【図１５】移動バーから外されたレバーを示す上面側の斜視図である。
【図１６】移動バーに接続されたレバーを示す図１５と同様の上面側の斜視図である。
【図１７】別の形態を有する移動バーの上面側の斜視図である。
【図１８】図１７の移動バーの分解斜視図である。
【図１９】図１７の１９−１９線断面図である。
【図２０】第１の緩和位置のレバーを備えると共に、閉じられかつロック位置の別の実施形態のリングバインダー機構の上面側の斜視図である。
【図２１】図２０のリングバインダー機構の底面側の斜視図である。
【図２２】図２０のリングバインダー機構の組立分解斜視図である。
【図２３】内部構造を露呈するためにハウジングの一部を切断して示す図２０のリングバインダー機構の拡大部分斜視図である。
【図２４】ハウジングとヒンジプレートとを取り除いた状態で示すリングバインダー機構の拡大部分側面図である。
【図２５】閉じられかつアンロック位置に位置すると共に、第１の変形位置のレバーを備えた、図２０と同様の図である。
【図２６】図２０の底面側の斜視図である。
【図２７】第１の変形位置のレバーを備えた、図２４と同様のリングバインダー機構の拡大部分側面図である。
【図２８】開位置にあるリングバインダー機構の上面側の斜視図である。
【図２９】開位置にあるリングバインダー機構の底面側の斜視図である。
【図３０】開位置にあり、レバーが第２の変形位置にあるリングバインダー機構の図２４と同様の拡大部分側面図である。
【図３１】移動バーの底面側の斜視図である。
【図３２】図３１の移動バーの中間コネクターの底面側の拡大斜視図である。
【図３３】本発明の別の実施形態のリングバインダー機構を示す上面側の斜視図である。
【図３４】図３３のリングバインダー機構の底面側の斜視図である。
【図３５】図３３のリングバインダー機構の分解斜視図である。
【図３６】内部構造を露呈するためにハウジングの一部を切断すると共に、リング部材を取り外して示す図３３のリングバインダー機構の拡大部分斜視図である。
【図３７】ハウジングとヒンジプレートとを取り除いた状態で示す図３３のリングバインダー機構の拡大部分側面図である。
【図３８】図３７の平面図である。
【図３９】第１の変形位置のレバーを備えた、図３４と同様のリングバインダー機構の拡大部分側面図である。
【図４０】ハウジングとヒンジプレートとを取り除いた状態で示す図３９のリングバインダー機構の拡大部分側面図である。
【図４１】図４０の平面図である。
【図４２】開位置にあると共に、第２の変形位置のレバーを備えたリングバインダー機構の図３３と同様の上面側の斜視図である。
【図４３】図４２の底面側の斜視図である。
【図４４】ハウジングとヒンジプレートとを取り除いた状態で示す図４２のリングバインダー機構の拡大部分側面図である。
【図４５】図４４の平面図である。
【図４６】レバーが変形状態で、リングバインダー機構を閉じられたロック位置に動かすためのレバーの回動を示す図４４の側面図である。
【図４７】図４６の平面図である。
【図４８】中間コネクターが圧縮された状態で、リングバインダー機構を閉じられたロック位置に動かすためのレバーの回動を示す図４６の側面図である。
【図４９】図４８の平面図である。拡大部分側面図である。
【図５０】中間コネクターの斜視図である。
【図５１】図５０の平面図である。
【図５２】図５１の側面図である。
【図５３】図５２の端面図である。
【符号の説明】
【００４２】
１０１  リングバインダー機構
１１１  ハウジング
１１３  リング
１１５  レバー
１２７ａ、１２７ｂ  ヒンジプレート
１４５  移動レバー
１４９  ロッキング要素
１６７  中間コネクター
【図１】
2008080794.tif 000003
【図２】
2008080794.tif 000004
【図３】
2008080794.tif 000005
【図４】
2008080794.tif 000006
【図５】
2008080794.tif 000007
【図６】
2008080794.tif 000008
【図７】
2008080794.tif 000009
【図８】
2008080794.tif 000010
【図９】
2008080794.tif 000011
【図１０】
2008080794.tif 000012
【図１１】
2008080794.tif 000013
【図１２Ａ】
2008080794.tif 000014
【図１２Ｂ】
2008080794.tif 000015
【図１３】
2008080794.tif 000016
【図１４】
2008080794.tif 000017
【図１５】
2008080794.tif 000018
【図１６】
2008080794.tif 000019
【図１７】
2008080794.tif 000020
【図１８】
2008080794.tif 000021
【図１９】
2008080794.tif 000022
【図２０】
2008080794.tif 000023
【図２１】
2008080794.tif 000024
【図２２】
2008080794.tif 000025
【図２３】
2008080794.tif 000026
【図２４】
2008080794.tif 000027
【図２５】
2008080794.tif 000028
【図２６】
2008080794.tif 000029
【図２７】
2008080794.tif 000030
【図２８】
2008080794.tif 000031
【図２９】
2008080794.tif 000032
【図３０】
2008080794.tif 000033
【図３１】
2008080794.tif 000034
【図３２】
2008080794.tif 000035
【図３３】
2008080794.tif 000036
【図３４】
2008080794.tif 000037
【図３５】
2008080794.tif 000038
【図３６】
2008080794.tif 000039
【図３７】
2008080794.tif 000040
【図３８】
2008080794.tif 000041
【図３９】
2008080794.tif 000042
【図４０】
2008080794.tif 000043
【図４１】
2008080794.tif 000044
【図４２】
2008080794.tif 000045
【図４３】
2008080794.tif 000046
【図４４】
2008080794.tif 000047
【図４５】
2008080794.tif 000048
【図４６】
2008080794.tif 000049
【図４７】
2008080794.tif 000050
【図４８】
2008080794.tif 000051
【図４９】
2008080794.tif 000052
【図５０】
2008080794.tif 000053
【図５１】
2008080794.tif 000054
【図５２】
2008080794.tif 000055
【図５３】
2008080794.tif 000056
【外国語明細書】
2008080794.tif 000057
2008080794.tif 000058
2008080794.tif 000059
2008080794.tif 000060
2008080794.tif 000061
2008080794.tif 000062
2008080794.tif 000063
2008080794.tif 000064
2008080794.tif 000065
2008080794.tif 000066
2008080794.tif 000067
2008080794.tif 000068
2008080794.tif 000069
2008080794.tif 000070
2008080794.tif 000071
2008080794.tif 000072
2008080794.tif 000073
2008080794.tif 000074
2008080794.tif 000075
2008080794.tif 000076
2008080794.tif 000077
2008080794.tif 000078
2008080794.tif 000079
2008080794.tif 000080
2008080794.tif 000081
2008080794.tif 000082
2008080794.tif 000083
2008080794.tif 000084
2008080794.tif 000085
2008080794.tif 000086
2008080794.tif 000087
2008080794.tif 000088
2008080794.tif 000089
2008080794.tif 000090
2008080794.tif 000091
2008080794.tif 000092
2008080794.tif 000093
2008080794.tif 000094
2008080794.tif 000095
2008080794.tif 000096
2008080794.tif 000097
2008080794.tif 000098
2008080794.tif 000099
2008080794.tif 000100
2008080794.tif 000101
2008080794.tif 000102
2008080794.tif 000103
2008080794.tif 000104
2008080794.tif 000105
2008080794.tif 000106
2008080794.tif 000107
2008080794.tif 000108
2008080794.tif 000109
2008080794.tif 000110
2008080794.tif 000111
2008080794.tif 000112
2008080794.tif 000113
2008080794.tif 000114
2008080794.tif 000115
2008080794.tif 000116
2008080794.tif 000117
2008080794.tif 000118
2008080794.tif 000119
2008080794.tif 000120
2008080794.tif 000121
2008080794.tif 000122
2008080794.tif 000123
2008080794.tif 000124
2008080794.tif 000125
2008080794.tif 000126
2008080794.tif 000127
2008080794.tif 000128
2008080794.tif 000129
2008080794.tif 000130
2008080794.tif 000131
2008080794.tif 000132
2008080794.tif 000133
2008080794.tif 000134
2008080794.tif 000135
2008080794.tif 000136
2008080794.tif 000137
2008080794.tif 000138